(57)【特許請求の範囲】
【請求項１】
赤外線インタフェース（３０）を備えた電子デバイスの不注意な設定を防止するための方法であって、 
前記電子デバイスが、前記赤外線インタフェース（３０）に設けられている１以上の赤外線ボタン（３１、３２、３３または３４）を、反射した赤外線信号を受信するように準備ができている状態とするステップであって、この赤外線ボタン（３１、３２、３３または３４）は、レンズ（３５）、赤外線エミッタ（３６）、および赤外線検出器（３７）を有し、赤外線ボタン（３１、３２、３３または３４）それぞれは、赤外線検出器（３７）を用いて、赤外線エミッタ（３６）によって照射され該赤外線検出器（３７）に向かって反射した赤外線を検出することに応じて、起動させられる、前記反射した赤外線信号を受信するように準備ができている状態とするステップと、
前記電子デバイスが所定の赤外線ボタンの順番を表示部（４０）に表示するステップであって、この所定の赤外線ボタンの順番は、赤外線ボタン（３１、３２、３３、３４）の起動を確認するために、所定の順番で少なくとも第一の赤外線ボタン（３１、３２、３３、または３４）および少なくとも第二の赤外線ボタン（３１、３２、３３、または３４）を起動させるように規定したものであり、表示部（４０）は、所定の赤外線ボタンの順番の各ステップ中で起動させなければならない特定の赤外線ボタンを示している、前記所定の赤外線ボタンの順番を表示部（４０）に表示するステップと、
前記電子デバイスが、所定の赤外線ボタンの順番で該赤外線ボタンの起動を受け付けると、受け付けられた後に、前記１以上の赤外線ボタン（３１−３４）からの設定入力の受信を許可するステップと、を含む方法。
【請求項２】
前記赤外線ボタンの順番が、少なくとも２つのボタン（３１、３２、３３または３４）を順次起動するステップを含む、請求項１に記載の方法。
【請求項３】
前記赤外線ボタンの順番が、少なくとも２つのボタン（３１、３２、３３または３４）を同時に起動するステップを含む、請求項１に記載の方法。
【請求項４】
前記赤外線ボタンの順番、または該赤外線ボタンの順番における少なくとも１つのステップに時間制限が与えられている、請求項１に記載の方法。
【請求項５】
前記電子デバイスが測定デバイスである、請求項１に記載の方法。
【請求項６】
赤外線インタフェース（３０）を備えた電子デバイスの不注意な設定を防止するための方法を実行するための実行可能なコードを含む、コンピュータで利用可能なコンピュータプログラムであって、
前記方法が、
前記電子デバイスが、前記赤外線インタフェース（３０）に設けられている１以上の赤外線ボタン（３１、３２、３３または３４）を、反射した赤外線信号を受信するように準備ができている状態とするステップであって、この赤外線ボタン（３１、３２、３３または３４）は、レンズ（３５）、赤外線エミッタ（３６）、および赤外線検出器（３７）を有し、赤外線ボタン（３１、３２、３３または３４）それぞれは、赤外線検出器（３７）を用いて、赤外線エミッタ（３６）によって照射され該赤外線検出器（３７）に向かって反射した赤外線を検出することに応じて、起動させられる、前記反射した赤外線信号を受信するように準備ができている状態とするステップと、
前記電子デバイスが、所定の赤外線ボタンの順番を表示部（４０）に表示するステップであって、この所定の赤外線ボタンの順番は、赤外線ボタン（３１、３２、３３、３４）の起動を確認するために、所定の順番で少なくとも第一の赤外線ボタン（３１、３２、３３、または３４）および少なくとも第二の赤外線ボタン（３１、３２、３３、または３４）を起動させるように規定したものであり、表示部（４０）は、所定の赤外線ボタンの順番の各ステップ中で起動させなければならない特定の赤外線ボタンを示している、前記所定の赤外線ボタンの順番を表示部（４０）に表示するステップと、
前記電子デバイスが、所定の赤外線ボタンの順番で該赤外線ボタンの起動を受け付けると、受け付けられた後に、前記１以上の赤外線ボタン（３１−３４）からの設定入力の受信を許可するステップと、を含んでいる、コンピュータで利用可能なコンピュータプログラム。
【請求項７】
前記赤外線ボタンの順番が、少なくとも２つのボタン（３１、３２、３３または３４）を順次起動するステップを含んでいる、請求項６に記載のコンピュータで利用可能なコンピュータプログラム。
【請求項８】
前記赤外線ボタンの順番が、少なくとも２つのボタン（３１、３２、３３または３４）を同時に起動するステップを含んでいる、請求項６に記載のコンピュータで利用可能なコンピュータプログラム。
【請求項９】
前記赤外線ボタンの順番、または該赤外線ボタンの順番における少なくとも１つのステップに時間制限が与えられている、請求項６に記載のコンピュータで利用可能なコンピュータプログラム。
【請求項１０】
前記電子デバイスが測定デバイスである、請求項６に記載のコンピュータで利用可能なコンピュータプログラム。
【請求項１１】
赤外線インタフェース（３０）を備えた電子デバイスの不注意な設定を防止するためのシステムであって、 
前記電子デバイスと、
複数の赤外線ボタン（３１、３２、３３または３４）が設けられている前記赤外線インタフェース（３０）であって、１以上の赤外線ボタン（３１、３２、３３または３４）が前記電子デバイスを設定するために、反射した赤外線信号を受信するように準備ができている状態とするように構成されている赤外線インタフェース（３０）と、
前記設定前に入力される所定の赤外線ボタンの順番を表示する表示部（４０）と、を備えており、
前記赤外線ボタンの順番は、少なくとも第一の赤外線ボタン（３１、３２、３３または３４）および少なくとも第二の赤外線ボタン（３１、３２、３３または３４）を起動させる順番を含み、
前記電子デバイスが、前記赤外線インタフェース（３０）に設けられている１以上の赤外線ボタン（３１、３２、３３または３４）を、反射した赤外線信号を受信するように準備ができている状態としており、この赤外線ボタン（３１、３２、３３または３４）は、レンズ（３５）、赤外線エミッタ（３６）、および赤外線検出器（３７）を有し、赤外線ボタン（３１、３２、３３または３４）それぞれは、赤外線検出器（３７）を用いて、赤外線エミッタ（３６）によって照射され該赤外線検出器（３７）に向かって反射した赤外線を検出することに応じて、起動させられるものであり、所定の赤外線ボタンの順番を、表示部（４０）に表示し、この所定の赤外線ボタンの順番は、赤外線ボタン（３１、３２、３３、３４）の起動を確認するために、所定の順番で少なくとも第一の赤外線ボタン（３１、３２、３３、または３４）および少なくとも第二の赤外線ボタン（３１、３２、３３、または３４）を起動させるように規定したものであり、表示部（４０）は、所定の赤外線ボタンの順番の各ステップ中で起動させなければならない特定のボタンを示し、所定の赤外線ボタンの順番で該赤外線ボタンの起動を受け付けると、受け付けられた後に、前記１以上の赤外線ボタン（３１−３４）からの設定入力の受信を許可するように構成されている、システム。
【請求項１２】
前記赤外線ボタンの順番では、少なくとも２つのボタン（３１、３２、３３または３４）を順次起動させる、請求項１１に記載のシステム。
【請求項１３】
前記赤外線ボタンの順番では、少なくとも２つのボタン（３１、３２、３３または３４）を同時に起動させる、請求項１１に記載のシステム。
【請求項１４】
前記赤外線ボタンの順番、または該赤外線ボタンの順番における少なくとも１つに時間制限が与えられている、請求項１１に記載のシステム。
【請求項１５】
前記電子デバイスが測定デバイスである、請求項１１に記載のシステム。
【発明の詳細な説明】
【技術分野】
【０００１】
本発明は、ＩｒＤＡ（Ｉｎｆｒａｒｅｄ  ｄａｔａ  ａｓｓｏｃｉｔｉｏｎ）準拠のインタフェースを備えた電子デバイスの不注意な設定を防止するための方法、コンピュータプログラム製品、およびシステムに関するものである。 
【背景技術】
【０００２】
電子デバイスは、操作者に電子機器の動作の設定をさせることを可能とするインタフェースを有していることが多い。 一例として、プリンタ、コピー機器、テレビ、および様々な他の電子デバイスは、ユーザに１以上のメニューを開かせ、１以上の選択項目を選択させ、デバイスを停止、あるいはデバイスを作動させることを可能とする１つ以上のボタンを備えている。
【発明の概要】
【発明が解決しようとする課題】
【０００３】
いくつかの電子インタフェースは、設定する目的のために、赤外線インタフェースを用いている。 赤外線インタフェースは、赤外線エミッタ、赤外線検出器、および、通常、レンズを有する１以上の赤外線ボタンを備えている。赤外線は赤外線エミッタからレンズに向けて導かれる。赤外線の少なくとも１部がレンズを透過するので、たとえば人の指などの物体がレンズ上に置かれると、赤外線の少なくとも一部が、反射され、赤外線検出器によって検出される。このように、ユーザは、例えば、表示部上で１以上のメニューを開き、１以上の選択項目を選択し、電子デバイスを作動または停止するなど、電子デバイスの設定を行うことができる。ただ、レンズ上またはレンズの近傍に置かれるほとんどいかなる物体でさえも赤外線を反射することができるので、赤外線ボタンが知らないうちに動作してしまう恐れが存在することは問題である。例えば、レンズ上の砕片または液状の小滴が赤外線を反射して知らないうちにボタンを起動させてしまう恐れがある。他の一例では、人体、衣類、あるいはレンズ上のまたはレンズ近傍のその他の物体が不注意に赤外線を反射させ、故意にではないがボタンを起動させてしまう恐れがある。このことにより、１以上の電子機器が知らないうちに設定されてしまうことになる。
【０００４】
本発明は、赤外線ボタンを備えている電子デバイスの不注意な設定を防止するための方法、コンピュータプログラム製品およびシステムに関するものである。 
【課題を解決するための手段】
【０００５】
本発明の技術範囲は添付の特許請求の範囲により規定されるものであって、発明の概要に記載した内容によりまったく影響されるものではない。 
【０００６】
本発明の１つの実施形態によれば、インタフェースを備えた電子デバイスの不注意な設定を防止するための方法としては、電子デバイスを設定するために、赤外線インタフェースに設けられている１以上の赤外線ボタンを起動するステップと、少なくとも第一の赤外線ボタンおよび少なくとも第二の赤外線ボタンを起動するステップを含む赤外線ボタンの順番を、表示部に表示するステップと、設定前に、赤外線ボタンの順番を入力するステップとを含んでいる。
【０００７】
本発明に係る他の実施形態によれば、インタフェイス（３０）を備えた電子デバイスの不注意な設定を防止するための方法を実行するための実行可能なコードを含む、コンピュータで利用可能な媒体を備えたコンピュータプログラム製品であって、この方法が、電子デバイスを設定するために、赤外線インタフェースに設けられている１以上の赤外線ボタンを起動するステップと、少なくとも第一の赤外線ボタンおよび少なくとも第二の赤外線ボタンを起動するステップを含む赤外線ボタンの順番を表示部に表示するステップと、設定前に赤外線ボタンの順番を入力するステップと、を含んでいる。 
【０００８】
本発明に係るさらなる他の実施形態によれば、インタフェースを備えた電子デバイスの不注意な設定を防止するためのシステムは、電子デバイスと、赤外線インタフェースと、表示部とを備えている。 赤外線インタフェースには複数の赤外線ボタンが設けられている。複数の赤外線ボタンのうちの１以上は電子デバイスを設定するために起動される。表示部は、設定の前に入力される赤外線ボタンの順番を表示する。この赤外線ボタンの順番は、少なくとも第一の赤外線ボタンおよび少なくとも第二の赤外線ボタンを起動するステップを含んでいる。
【０００９】
（態様） 
本発明の１つの態様によれば、インタフェースを備えた電子デバイスの不注意な設定を防止するための方法は、 電子デバイスを設定するために、赤外線インタフェースに設けられている１以上の赤外線ボタンを起動するステップと、少なくとも第一の赤外線ボタンおよび少なくとも第二の赤外線ボタンを起動するステップを含む赤外線ボタンの順番を表示部上に表示するステップと、設定前に、赤外線ボタンの順番を入力するステップとを含んでいる。 
【００１０】
好ましくは、赤外線ボタンの順番が、少なくとも２つのボタンを順次起動するステップを含んでいる。
【００１１】
好ましくは、赤外線ボタンの順番が、少なくとも２つのボタンを同時に起動するステップを含む。 
【００１２】
好ましくは、赤外線ボタンの順番、またはこの赤外線ボタンの順番における少なくとも１つのステップに時間制限が与えられている。 
【００１３】
好ましくは、電子デバイスが測定デバイスである。 
【００１４】
好ましくは、電子デバイスを設定するために、赤外線インタフェースに設けられている１以上の赤外線ボタンを起動するステップが、赤外線ボタンの順番を入力するステップの前に行われる。 
【００１５】
好ましくは、電子デバイスを設定するために、赤外線インタフェースに設けられている１以上の赤外線ボタンを起動するステップが、赤外線ボタンの順番を入力するステップの後に行われる。
【００１６】
本発明の他の態様は、インタフェイス（３０）を備えた電子デバイスの不注意な設定を防止するための方法を実行するための実行可能なコードを含む、コンピュータで利用可能な媒体を備えたコンピュータプログラム製品であって、この方法では、 電子デバイスを設定するために、赤外線インタフェースに設けられている１以上の赤外線ボタンを起動するステップと、少なくとも第一の赤外線ボタンおよび少なくとも第二の赤外線ボタンを起動するステップを含む赤外線ボタンの順番を表示部上に表示するステップと、設定前に赤外線ボタンの順番を入力するステップと、を含んでいる。 
【００１７】
好ましくは、赤外線ボタンの順番が、少なくとも２つのボタンを順次起動するステップを含んでいる。
【００１８】
好ましくは、赤外線ボタンの順番が、少なくとも２つのボタンを同時に起動するステップを含んでいる。
【００１９】
好ましくは、赤外線ボタンの順番、またはこの赤外線ボタンの順番における少なくとも１つのステップに時間制限が与えられている。 
【００２０】
好ましくは、電子デバイスが測定デバイスである。 
【００２１】
好ましくは、電子デバイスを設定するために、赤外線インタフェースに設けられている１以上の赤外線ボタンを起動するステップが、赤外線ボタンの順番を入力するステップの前に行われる。
【００２２】
好ましくは、電子デバイスを設定するために、赤外線インタフェースに設けられている１以上の赤外線ボタンを起動するステップが、赤外線ボタンの順番を入力するステップの後に行われる。 
【００２３】
本発明に係るさらなる他の態様によれば、インタフェースを備えた電子デバイスの不注意な設定を防止するためのシステムは、 電子デバイスと、複数の赤外線ボタンが設けられている赤外線インタフェースと、複数の赤外線ボタンのうちの１つ以上は電子デバイスを設定するために起動され、設定前に入力される赤外線ボタンの順番を表示する表示部と、を備えており、赤外線ボタンの順番が、少なくとも第一の赤外線ボタンおよび少なくとも第二の赤外線ボタンの起動するステップを含んでいる。
【００２４】
好ましくは、赤外線ボタンの順番が、少なくとも２つのボタンを順次起動するステップを含んでいる。
【００２５】
好ましくは、赤外線ボタンの順番が、少なくとも２つのボタンを同時に起動するステップを含んでいる。
【００２６】
好ましくは、赤外線ボタンの順番、またはこの赤外線ボタンの順番における少なくとも１つのステップに時間制限が与えられている。 
【００２７】
好ましくは、電子デバイスが測定デバイスである。
【００２８】
好ましくは、電子デバイスを設定するために、赤外線インタフェースに設けられている１以上の赤外線ボタンを起動するステップが、赤外線ボタンの順番を入力するステップの前に行われる。
【００２９】
好ましくは、電子デバイスを設定するために、赤外線インタフェースに設けられている１以上の赤外線ボタンを起動するステップが、赤外線ボタンの順番を入力するステップの後に行われる。
【００３０】
好ましくは、赤外線ボタンは、レンズと、赤外線エミッタと、赤外線検出器とを備えており、複数のＩｒＤＡボタンが、赤外線エミッタから照射し、放射線検出装置に向かって反射される赤外線を検出するために、放射線検出装置を用いることにより起動されるように構成されている。 
【図面の簡単な説明】
【００３１】
【図１】本発明の実施形態に係る測定デバイスの形態を有している電子デバイスを示す斜視図である。
【図２】赤外線ボタンを備えた赤外線インタフェースを示す斜視図である。
【図３】赤外線ボタンを備えた赤外線インタフェースを示す正面図である。
【図４】赤外線ボタンを備えた赤外線インタフェースを示す正面図である。
【図５】赤外線ボタンを備えた赤外線インタフェースを示す正面図である。
【発明を実施するための形態】
【００３２】
概して本発明は、電子デバイスを設定するために起動される赤外線ボタンを備えた電子デバイスに関するものである。 図１には、センサ組立体１０と一以上の電子機器２０とを備えている流量測定デバイス５の形態を有する測定デバイスとして、電子デバイスの一例が示されているが、当業者にとって明らかなように、本発明は測定器に限定されるものではなく、赤外線ボタンを備えているいかなる電子デバイスにおいても適用できる。
【００３３】
図１には、コリオリ流量計の形態を有する流量測定デバイス５のセンサ組立体１０と、一以上の電子機器２０とが示されている。図２〜図５に示されているように、一以上の電子機器２０が、ユーザによって複数の方法で流量測定デバイス５を設定させることができる赤外線インタフェース３０を有したハウジング２５内に設けられてもよい。
【００３４】
本実施形態に係る流量測定デバイス５は、一対のフランジ１０１、１０１’と、一対のマニホルド１０２、１０２’と、一対の導管１０３Ａ、１０３Ｂとを有している。マニホルド１０２、１０２’は、導管１０３Ａ、１０３Ｂの両端に固定されている。本実施形態に係るフランジ１０１、１０１’はマニホルド１０２、１０２’に固定されている。また、本実施形態に係るマニホルド１０２、１０２’はスペーサ１０６の両端に固定されている。スペーサ１０６は、導管１０３Ａ、１０３Ｂの不要な振動を避けるために、本実施形態に係るマニホルド１０２とマニホルド１０２’との間の間隔を維持するようになっている。これらの導管は、ほぼ並列にマニホルドから外方に向けて延びている。流動物質を運ぶ配管システム（図示せず）の中にセンサ組立体１０が挿入されると、流動物質がフランジ１０１を通ってセンサ組立体１０の中に流入し、流入口マニホルド１０２を通り、ここで流動物質の全量が導管１０３Ａおよび１０３Ｂの中に流れ、導管１０３Ａ、１０３Ｂを流れ、流出口マニホルド１０２’の中へと流れ込み、ここでフランジ１０１’からセンサ組立体１０の外へと流出する。本実施形態に係る流量測定デバイス５は駆動部１０４を備えている。駆動部１０４は、駆動モードで、この駆動部１０４により導管１０３Ａ、１０３Ｂを振動させることができるような位置にて導管１０３Ａ、１０３Ｂに固定されている。本実施形態では、駆動モードは、第一の逆位相曲げモードであり、導管１０３Ａ、１０３Ｂは、曲げ軸Ｗ−−ＷおよびＷ’−−Ｗ’に対して実質的に同一の質量分布、慣性モーメントおよび弾性モジュールをそれぞれ有するように選択され、流入口マニホルド１０２および流出口マニホルド１０２’に適切に取り付けられることが好ましい。ドライブモードが第一の逆位相曲げモードである本実施形態では、導管１０３Ａおよび導管１０３Ｂは、それぞれに対応する曲げ軸線Ｘおよび曲げ軸線Ｘ’に対して相互に反対方向に向けて駆動部１０４により押される。ドライブ１０４は、マグネットが導管１０３Ａ上に取り付けられかつ対向するコイルが導管１０３Ｂに取り付けられている装置のように、公知になっている複数の装置のうちの１つから構成されてもよい。これに代えて、駆動部１０４は、それとは異なるたとえば一以上の圧電デバイスなどの装置であってもよい。交流の形態を有している駆動信号は、たとえば経路１１０を介して一以上の電子機器２０によって提供され、対向するコイルを通り抜けて両方の導管１０３Ａ、１０３Ｂの振動を引き起こすようになっている。
【００３５】
本実施形態に係る流量測定デバイス５は、導管１０３、１０３Ｂに固定されている一対のピックオフ１０５、１０５’を有している。 図示されている実施形態では、ピックオフ１０５、１０５’は、導管１０３Ａ、１０３Ｂの両端に設けられている。ピックオフ１０５、１０５’は、導管１０３Ａ、１０３Ｂの運動を検出し、導管１０３Ａ、１０３Ｂの運動を表わすピックオフ信号を一以上の電子機器２０へと送信する。たとえば、ピックオフ１０５、１０５’は経路１１１、１１１’通じて一以上の電子機器へピックオフ信号を送信してもよい。当業者にとって明らかなように、導管１０３Ａ、１０３Ｂの運動は、当該導管１０３Ａ、１０３Ｂを流れる物質の質量流量および密度に比例する。本実施形態では、一以上の電子機器２０は、ピックオフ１０５、１０５’からピックオフ信号を受信し、ドライブ１０４にドライブ信号を送信する。パス２６は１つ以上の電子機器２０に操作者または１以上の他の電子機器との情報交換を可能とする入出力手段を提供している。
【００３６】
本実施形態の１つの態様によれば、一つ以上の電子機器２０は、たとえば密度、質量流量、体積流量、総合質量流量、温度および他の情報の如き流動物質の特性を測定するようになっている。 さらに具体的にいえば、一以上の電子機器２０は、たとえばピックオフ１０５、１０５’から、ならびに１以上の温度センサから１以上の信号を受け取り、この情報を用いて、たとえば密度、質量流量、体積流量、総合質量流量、温度、および他の情報などの流動物質の特性を測定する、例えばコリオリ流量計またはデンシトメータなどの流量測定デバイスが流動物質の特徴を測定する技術はよく知られており、本発明を理解する上で、その詳細な説明は、必要でなく、ここでは、簡潔さのために省略するものとする。さらに、一以上の電子機器２０の回路類の説明も、本発明を理解する上で、必要ではないため、この明細書を簡潔にするために省略するものとする。
【００３７】
当業者にとって明らかなように、図１は、流量測定デバイス５の形態を有している１つの可能な電子装置の動作を例示することのみを意図するために提供されたものであり、本発明の教示を限定することを意図したものではない。 当業者にとって明らかなように、限定する訳ではないが流量トランスミッタ、密度トランスミッタ、圧力トランスミッタ、温度トランスミッタ、電磁流量計、渦流量計および超音波流量計などの測定デバイスまたはその他の電子デバイスのようなタイプの電子デバイスと本明細書に記載の原理を併用して用いることも本発明の技術範囲に含まれる。
【００３８】
ここで、図２を参照すると、ハウジング２５内に設けられている一以上の電子機器２０が示されている。図示されているように、ハウジング２５は、流量測定デバイス５に関する、またはセンサ組立体１０内を流れる物質に関するさまざまな情報を示すことが可能な表示部４０を備えていてもよい。これに限定されるものではないが、例えば、表示部４０は、例えばメニューを通じて、流量測定デバイス５の設定選択肢、流量測定デバイス５の現在の設定、またはセンサ組立体１０を流れる物質の測定特性を示すようになっていてもよい。表示部がハウジング２５に一体化されているように示されているが、当業者にとって明らかなように、外部表示装置にハウジング２５または一以上の電子機器２０を接続することも本発明の範囲内に含まれる。
【００３９】
図２〜図５に示されているように、ハウジング２５は赤外線インタフェース３０を備えている。赤外線インタフェース３０は、少なくとも２つの赤外線ボタン３１、３２を備えており、本実施形態の範囲内では、これに限定されるものではないが、例えば３つの赤外線ボタン３１、３２、３３、図２〜図５に示されているような４つの赤外線ボタン３１、３２、３３、３４、または４つ以上の赤外線ボタンなど２つを超える数の赤外線ボタンを備えていてもよい。
【００４０】
本実施形態の１つの態様によれば、赤外線ボタン３１〜３４は、いかなる数の設定アクションを実行してもよい。 これに限定されるものではないが、例えば、赤外線ボタン３１〜３４は、ユーザに流量測定器５の動作を設定させることを可能とする。また、これに限定されるものではないが、他の一例では、赤外線ボタン３１〜３４は、例えば、設定選択肢、流量測定デバイス５の現在の設定、センサ組立体１０を流れる物質の１以上の測定特性、あるいは限定されるものではないがエラーメッセージのような任意のアラームもしくはメッセージなど表示部４０に表示する情報タイプをユーザに決めさせることを可能とするように構成されていてもよい。また、限定されるものではないが、他の一例では、赤外線ボタン３１〜３４は、ユーザに流量測定デバイス５を作動または停止させることを可能とするように構成されていてもよい。
【００４１】
図３〜図５に示されているように、赤外線ボタン３１〜３４には、レンズ３５、赤外線エミッタ３６、および赤外線検出器３７が設けられていることが好ましい。したがって、物体、例えば指が、赤外線ボタン３１〜３４のうちの１つのレンズ３５上、または近傍に置かれると、赤外線エミッタ３６から照射されている赤外線の一部がレンズ３５を透過し、物体により反射され、赤外線検出器３７により検出されることになる。このことが生じると、ボタン３１〜３４は、これに限定されないが一以上の電子機器２０および／またはセンサ組立体１０の作動または停止、例えば設定選択肢、現在の設定、メニュー、物質の１以上の測定特性、アラームメッセージもしくはエラーメッセージのような情報の表示、あるいは選択肢の選定などのような応答アクションを誘発するようになっている。
【００４２】
レンズ３５上、またはレンズ３５の近傍に置かれるほとんどいかなる物体でさえも赤外線を反射することができるので、赤外線が知らないうちに反射されて赤外線ボタン３１、３２、３３、３４が知らないうちに作動される恐れがあるというのは問題である。このことが生じると、電子デバイスがなんらかの方法で知らないうちに設定されてしまう恐れがある。これに限定されるわけではないが、例えば流量測定デバイス５の場合、流量測定デバイス５が停止し、オフライン状態に入り、１以上の流動物質特性の測定を停止してしまう恐れがある。限定するものではないが、さらなる他の一例では、流量測定デバイス５の場合、流量測定デバイス５の設定が不満足なため、１以上の流動物質特性の測定が不正確になってしまう恐れがある。
【００４３】
有利には、本実施形態の１つの態様によれば、不注意な設定を防止するように、ボタンの順番が設定されている。 後述するが、流量測定デバイス５用の赤外線インタフェース３０だけではなく、あらゆる電子デバイス用の赤外線インタフェースと連動して、ボタンの順番が設定されていることは本発明の範囲内であり、あるタイプの故意でない設定がすべての赤外線インタフェースまたはすべての流量測定デバイスにおいて問題となるわけではない。このため、すべての不注意な設定を防止するように、１以上のボタンの順番を設定しておく必要はない。また限定されるものではないが、一例では、たとえば停止のような１以上のタイプの設定を防止するために１以上のボタンの順番を用いる一方で、ボタンの順番を設定することなく、例えば作動のような１以上のタイプの設定がなされることを可能としてもよい。
【００４４】
また、本実施形態の１つの態様によれば、このボタンの順番には、少なくとも２つの異なるボタン３１、３２、３３、３４を起動させることが必要である。このようにして、１つのボタンに知らずに接触したとしても、または１つのボタン上に砕片または液体が存在したとしても、不注意な設定が生じないようにすることができる。当業者にとって明らかなように、より多くのボタンを、このボタンの順番に含ませると、不注意な設定の機会をさらに減少させることができる。したがって、いかなる数のボタンがこのボタンの順番に含まれていても本発明の範囲内に含まれることになる。さらに、ボタンの順番において、限定するわけではないがたとえばボタン３１、３２、３３または３４である第一のボタンを一度起動した後、この第一のボタンとは異なる少なくとも第二のボタンを一度起動することを必要とすることが本実施形態の範囲内に含まれるが、ボタンの順番において、第一のボタンおよび少なくとも第二のボタンを、一よりも多い回数、起動させることを必要とすることも本発明の範囲に含まれる。限定するわけではないが、例えば、ある順番では、順番３１、３２、３３、３４、３４、３３、３２、３１を起動した後、ボタン３１、３２、３３、３４を起動することが要求されるようになっていてもよい。
【００４５】
本実施形態の他の態様によれば、表示部４０は、この順番の各ステップ中、起動しなければならない個々のボタンを表示すように構成されていてもよい。 この表示はさまざまな形態をとっていてもよい。限定するわけではないが、例えば、この表示は、表示部４０において順番内の１以上のステップを同時に表示する形態をとってもよい。これに代えて、表示部４０は、ステップを一つずつだけ、例えば、順番内で実行される現在のステップのみを表示するようになっていてもよい。このように、ユーザは、個々のボタンの順番を記憶しておく、あるいは知っておく必要はない。
【００４６】
例えば、図３および図４に示されているように、これに限定されるわけではないが、例えばメニューを開けるステップ、選択肢を選択するステップ、電子デバイスを停止するステップ、または電子デバイスを作動させるステップのような、なんらかの設定アクションを実行するステップをユーザが要求する場合、ボタンの順番を必要とするようにしてもよい。 
【００４７】
また、これに限定されるわけではないが、一例では、１つの可能な順番としては、スクロールを行い、図３〜図５に示されているボタン３１、３２を選択することを含んでいてもよい。したがって、これに限定されるわけではないが、例えば、デバイスを設定するためにユーザが１以上のボタン３１〜３４を起動する前、またはその後で、表示部がユーザにボタンの順番を入力するよう促すようにしてもよい。この具体例では、ボタンの順番はまずスクロールボタン３１を起動し、次いで選択ボタン３２を起動することを含んでいる。ボタンの順番の開始時、表示部４０は、表示部上にボタンの順番全体、すなわちスクロールという言葉に続いて選択という言葉を表示するようになっていてもよい。これに代えて、表示部４０は、その順番の中の現在のステップだけを表示するようになっていてもよい。例えば、図４に示されているように、この順番の開始時、表示部４０がこの順番の他のいかなるステップをも示すことなしに、スクロールという言葉のみ、または順番の第一ステップのみを表示し、スクロールボタン３１を起動した後、表示部４０は、図５に示されているように、この順番の中の他のステップを表示することなしに、選択という言葉のみを表示するようになっていてもよい。
【００４８】
この順番では、２つのボタンのみを起動することが必要とされているが、例えば、３つのボタン、４つのボタン、または４つを超える任意の数のボタンを起動することが必要とされていてもよく、これらは本発明の範囲に含まれる。 さらに、この順番では、２つ以上のボタンが同時に起動されることが必要とされていてもよい。このような状況では、本実施形態の範囲内において、この順番は、単一のステップ、すなわち２つ以上のボタンを同時に起動させるステップを含んでいる。この順番は、２つ以上のボタンを順次入力するステップを含んでいてもよい。
【００４９】
さらにまた、本実施形態の他の態様によれば、この順番をある時間制限内に実行することが要求されてもよい。本実施形態の範囲内で、この時間制限をさまざまな方法で与えることができる。限定するわけではないが、例えば、時間制限をこの順番全体に対して与えることができる。これに限定するものではないが、例えば、この順番の全ステップが完了するための合計時間が、ある値を超えてはならないようになっていてもよい。また、これに限定するものではないが、さらに他の例では、時間制限をステップごとに与えてもよい。また、これに限定するものではないが、例えば、この順番の個々のステップの完了時間がある値を超過してはならないようになっていてもよい。当業者にとって明らかなように、このように時間を制限することにより、不注意な設定の危険性をさらに減らすことが可能となる。
【００５０】
また、当業者にとって明らかなように、ある設定動作を防止するために上述の技術を用いること、またある他の設定動作を防止するためにパスワードを用いることも本発明の範囲に含まれる。 一例では、ユーザが知っているパスワードを用いることで不注意な停止を防止するようにしてもよい。また、上述のように、１以上のボタンの順番を設定することで、不注意に作動させること、メニューを開くこと、または選択肢を選択することを防止するようにしてもよい。
【００５１】
当業者にとって明らかなように、ボタンの順番は、固定式であってもよいし、または変動式であってもよい。また、これに限定するわけではないが、一例では、ユーザにおいて、１以上の動作に用いられる個々のボタンの順番を選択または変更可能とすることも本発明の範囲に含まれる。また、これに限定するわけではないが、他の一例では、１以上のボタンの順番を前もってプログラムすることができてもよい。他の一例では、異なるタイプの設定では、異なるボタンの順番が要求されるようにしてもよい。
【００５２】
本明細書には、本発明の最良の形態を実施または利用する方法を当業者に教示するための具体的な実施形態が記載されている。本発明の原理を教示するために、従来技術の一部が単純化または省略されている。当業者にとって明らかなように、これらの実施形態の変形例も本発明の技術範囲内に含まれる。
【００５３】
上述の実施形態の詳細な記載は、本発明の技術範囲内に含まれるものとして本発明者が考えているすべての実施形態を完全に網羅するものではない。さらに正確にいえば、当業者にとって明らかなように、上述の実施形態のうちの一部の構成要素をさまざまな方法で組み合わせてまたは除去してさらなる実施形態を作成してもよいが、このようなさらなる実施形態も本発明の技術範囲内および教示範囲内に含まれる。また、当業者にとって明らかなように、本発明の技術および教示の範囲に含まれるさらなる実施形態を作成するために、上述の実施形態を全体的にまたは部分的に組み合わせてもよい。
【００５４】
以上のように、本発明の具体的な実施形態または実施例が例示の目的で記載されているが、当業者にとって明らかなように、本発明の技術範囲内において、さまざまな変更が可能である。本明細書に記載の教示を上述のかつそれに対応する図に記載の実施形態とは異なる実施形態に適用されてもよい。したがって、本発明の技術範囲は下記の請求項によって決められる。
【図１】
0005631300.tif 000002
【図２】
0005631300.tif 000003
【図３】
0005631300.tif 000004
【図４】
0005631300.tif 000005
【図５】
0005631300.tif 000006